(57)【要約】【課題】複数のバイヤーとセラーが同時に参加できる逆オークションシステムを実現でき、セラーは商品の特質を売り込むことも可能であり、セラーの効率的な販売も実現できる。【解決手段】カメラ、マイク、スピーカ等を備えた複数のセラーＰＣ１３および複数のバイヤー１２がインターネットを介してサーバ１１に接続し、会員登録して会員ＩＤの発行と登録を行い、申し込み順にセラーは販売商品数、価格を提示し、自分のカメラ映像やサーバ１１に格納した画像情報を利用して、全ＰＣにプレゼンテーション映像を送信する。予定時間が終了した後、再度、同一商品ジャンルのセラーの申し込みを受付ける。バイヤーは、オークションの実行期間中の随時のタイミングで商品の申し込みを行い、購入指示を出した時点で購入と決済を行うため、その後の値が変更になっても、影響を受けない。【選択図】　　　　図１
2004054333.tif 000002
【特許請求の範囲】
【請求項１】
カメラ、マイクロフォン、およびスピーカを備えた複数のセラー用パーソナルコンピュータおよび複数のバイヤー用パーソナルコンピュータがインターネットを介してサーバに接続され、該サーバに会員登録して会員ＩＤを発行するとともに会員登録し、該会員ＩＤで該サーバに接続を許可する取引システムにおいて、
該サーバは、接続中のセラー用パーソナルコンピュータからの販売要求を先着順に受け付けるタイミングを設定し、受け付けられた該セラー用パーソナルコンピュータから動画または静止画を受信し、該動画または静止画を該サーバに接続中の全パーソナルコンピュータに送信する第１の手段と、
該サーバに接続中のバイヤー用パーソナルコンピュータから常時、購入要求を先着順に受け付け、受け付けたタイミングで決済を実行する第２の手段とを具備することを特徴とする取引システム。
【請求項２】
請求項１記載の取引システムにおいて、
前記サーバは、セラー用パーソナルコンピュータから受信した動画および静止画を記憶する第３の手段を具備し、
前記第１の手段は、該サーバで受け付けられたセラー用パーソナルコンピュータが、該第３の手段から動画または静止画を取り出し、該セラー用パーソナルコンピュータで撮影された動画を合成して、該サーバに接続中の全バイヤー用パーソナルコンピュータに送信することを特徴とする取引システム。
【請求項３】
請求項１または２記載の取引システムにおいて、
前記第１の手段は、受け付けられた全てのセラー用パーソナルコンピュータからの価格情報を新規に受信するか、あるいは更新した価格情報を受信し、該サーバに接続中の全てのバイヤー用パーソナルコンピュータに一覧表として画面を送信し、
該バイヤー用パーソナルコンピュータは、画面表示された一覧表の特定部分をクリックすると、
該第２の手段が、セラー用パーソナルコンピュータごとに先着順に受け付け、セラー用パーソナルコンピュータからの価格情報と購入情報とをセットで記憶することを特徴とする取引システム。
【請求項４】
請求項３記載の取引システムにおいて、
前記第２の手段は、先着順で受け付けるバイヤー用パーソナルコンピュータからの購入申し込みの上限数を、該第１の手段で受け付けたセラー用パーソナルコンピュータにより設定または変更することを特徴とすることを特徴とする取引システム。
【請求項５】
請求項３または４記載の取引システムにおいて、
前記第２の手段は、先着順で受け付けられたバイヤー用パーソナルコンピュータからの申し込み数を、対応するセラー用パーソナルコンピュータに通知することを特徴とする取引システム。
【請求項６】
請求項１ないし５のいずれかに記載の取引システムにおいて、
前記第２の手段は、前記セラー用パーソナルコンピュータごとに受け付けられたバイヤー用パーソナルコンピュータの会員情報の中の特定情報とともに、一覧表中の価格情報と購入情報のセットをセラー用パーソナルコンピュータごとに分類して、該当セラー用パーソナルコンピュータに送信することを特徴とする取引システム。
【請求項７】
カメラ、マイクロフォン、およびスピーカを備えた複数のセラー用パーソナルコンピュータおよび複数のバイヤー用パーソナルコンピュータがインターネットを介してサーバに接続され、該サーバに会員登録して会員ＩＤを発行するとともに会員登録し、該会員ＩＤで該サーバに接続を許可する取引方法において、
該サーバから取引する商品ジャンルを全パーソナルコンピュータに通知し、
販売したいセラー用パーソナルコンピュータからの申し込みを受け付け、
最も早く申し込んだセラー用パーソナルコンピュータから販売商品数、価格の提示を受信し、
該セラー用パーソナルコンピュータのカメラ撮影した映像や該サーバに格納した画像情報を合成してプレゼンテーション画面を作成し、該サーバに接続中の全パーソナルコンピュータに該画面を送信し、
バイヤー用パーソナルコンピュータから該画面の特定部分をクリックすることによる購入申し込みを受け付け、
予め定められたプレゼンテーション時間が終了すると、再度、同じ商品ジャンルのセラー用パーソナルコンピュータから申し込みを受け付け、
以上の手順を繰り返し実行して、該セラー用パーソナルコンピュータの申し込みがなくなった時点で、該商品ジャンルの取引を終了し、次の商品ジャンルの取引を開始することを特徴とする取引方法。
【請求項８】
サーバのパーソナルコンピュータに、商品ジャンルを全パーソナルコンピュータに通知する処理と、
販売したいセラー用パーソナルコンピュータからの申し込みを受け付ける処理と、
最初のセラー用パーソナルコンピュータから販売商品数および価格の提示を受信する処理と、
該セラー用パーソナルコンピュータのカメラ撮影した映像や該サーバに格納されている画像情報を合成してプレゼンテーション画面を作成し、該サーバに接続中の全パーソナルコンピュータに該画面を送信する処理と、
バイヤー用パーソナルコンピュータからの購入申し込みを受け付ける処理と、予定時間の経過により、再度、同一商品ジャンルのセラー用パーソナルコンピュータから申し込みを受け付ける処理と、
該セラー用パーソナルコンピュータの申し込みがなくなった時点で、該商品ジャンルの取引を終了し、次の商品ジャンルの取引を開始する処理とを実行させるためのサーバ用処理プログラム。
【請求項９】
カメラ、マイクロフォン、およびスピーカを備えた複数のセラー用パーソナルコンピュータおよび複数のバイヤー用パーソナルコンピュータがインターネットを介してサーバに接続され、該サーバに会員登録して会員ＩＤを発行するとともに会員登録し、該会員ＩＤで該サーバに接続を許可するサーバ運営者によるビジネスモデルのオークション取引方法において、
該サーバは、複数のセラーパーソナルコンピュータと複数のバイヤーパーソナルコンピュータを区別することなく自由にオークションに参加させて、対象商品の販売または購入を受付け、
電子決済に際しては、インターネットまたはＩＰネットワークを介してバイヤー用パーソナルコンピュータから金融機関経由でサーバ運営者口座に振り込まれた後、該サーバ運営者口座からセラー用パーソナルコンピュータに販売代金を渡すとともに、セラー用パーソナルコンピュータから該サーバ運営者口座に参加費を振り込むことを特徴とするオークション取引方法。
【発明の詳細な説明】
【０００１】
【発明の属する技術分野】
本発明は、複数バイヤーと複数セラーを同時に参加させる逆オークションシステムおよびその取引方法に関し、特にセラーとバイヤーを区別せずに、自由にオークションに参加させ、かつサーバ運営者の業務をビジネスモデルとして構築できる取引システムおよび取引方法、ならびにそのプログラムに関する。
【０００２】
【従来の技術】
逆オークション方式に関する特許を取得した米国のＰ社は、急速にネット業界の注目を集めるようになった。この逆オークションは、販売者（以下、セラー）ではなく、購入者（以下、バイヤー）が主導で値段を決定する仕組みである。すなわち、セラーが主導権を持つ通常のオークションとは逆の方式となっている。
【０００３】
この方式は、まず、オファー価格を含む条件月購入オファーをコンピュータに入力し、次に、クレジット・カード口座を確認する支払い証明は、条件付き購入オファーと関連されて、支払い証明をコンピュータに入力する。次に、支払い証明の受け取り後、条件付き購入オファーを複数のセラーに送信する。そして、条件付きオファーの回答としてのセラーからの受諾をコンピュータに入力する。最後に、支払い証明を用いてセラーに支払う。
Ｐ社は、このような逆オークションの方式で、ホームページの画面上で航空券、ホテル予約、自動車、住宅ローン、保険、パソコン販売などの取引を行って、驚異的な成績を上げている。
【０００４】
【発明が解決しようとする課題】
このように、従来の逆オークションシステムは、ｗｅｂあるいは電子メールを用いて、バイヤーが指定した商品に関して、複数のセラーが値段を提示し、その中から購入したい業者を決定する方法を採用している。
従って、バイヤー１人に対して複数のセラーが価格を１回提示して、そこから選択する方式である。しかし、この方法では、セラーは他のセラーの提示価格を見て価格を変更すると言う、本来のオークション機能が働かないという問題がある。
【０００５】
この方式は、さらに、他社商品とどのように違うかと言う価格以外の相違についての説明が困難であり、また、他のセラーの売り口上に反論すると言う売り込み行為もできない、という問題がある。
さらに、複数のバイヤーに同時に商品を提示する動作も難かしい、という問題もある。
【０００６】
そこで、本発明の目的は、これら従来の課題を解決し、複数のバイヤーと複数のセラーが同時に参加できる逆オークションシステムを実現することであり、また、セラーは相互に相手の提示価格、売り口上などを参考にして、自らの商品の特質を売り込むことができ、さらに、複数のバイヤーが参加できるようにして、セラーからの効率的な販売を実現できる逆オークションの取引システムおよび取引方法、ならびにそのプログラムを提供することにある。
【０００７】
【課題を解決するための手段】
本発明の取引システムは、カメラ、マイクロフォン、およびスピーカを備えた複数のセラー用パーソナルコンピュータおよび複数のバイヤー用パーソナルコンピュータがインターネットを介してサーバに接続され、該サーバに会員登録して会員ＩＤを発行するとともに会員登録し、該会員ＩＤで該サーバに接続を許可する取引システムにおいて、接続中のセラー用パーソナルコンピュータからの販売要求を先着順に受け付けるタイミングを設定し、受け付けられた該セラー用パーソナルコンピュータから動画または静止画を受信し、該動画または静止画を該サーバに接続中の全パーソナルコンピュータに送信する該サーバ内の第１の手段と、該サーバに接続中のバイヤー用パーソナルコンピュータから常時、購入要求を先着順に受け付け、受け付けたタイミングで決済を実行する該サーバ内の第２の手段とを具備することを特徴としている。
【０００８】
また、本発明の取引方法あるいはプログラムは、サーバから取引する商品ジャンルを全パーソナルコンピュータに通知し、販売したいセラー用パーソナルコンピュータからの申し込みを受け付け、最も早く申し込んだセラー用パーソナルコンピュータから販売商品数、価格の提示を受信し、該セラー用パーソナルコンピュータのカメラ撮影した映像や該サーバに格納した画像情報を合成してプレゼンテーション画面を作成し、該サーバに接続中の全パーソナルコンピュータに該画面を送信し、バイヤー用パーソナルコンピュータから該画面の特定部分をクリックすることによる購入申し込みを受け付け、予め定められたプレゼンテーション時間が終了すると、再度、同じ商品ジャンルのセラー用パーソナルコンピュータから申し込みを受け付け、以上の手順を繰り返し実行して、該セラー用パーソナルコンピュータの申し込みがなくなった時点で、該商品ジャンルの取引を終了し、次の商品ジャンルの取引を開始することを特徴としている。
【０００９】
【発明の実施の形態】
以下、本発明の実施形態を、図面により詳細に説明する。
図１は、本発明の一実施例を示す取引システムの全体構成図である。
取引システムは、複数のセラーのＰＣ（パーソナルコンピュータ）１３と複数のバイヤーのＰＣ１２とサーバ１１とがインターネットまたはＩＰネットワーク１４により接続される。セラーＰＣ１３には、カメラ、マイク、スピーカが具備されている。一方のバイヤーＰＣ１２には、必ずしも上記装置は必要ではない。サーバ１１が逆オークションの機能を実行する。サーバ１１は、セラーＰＣ１３、バイヤーＰＣ１２の会員登録情報と認証機能を持ち、かつ、セラーＰＣ１３からの販売申し込みを先着順位受け付ける機能と、受け付けたセラーからのＰＣ１３を通じての売り込み映像を、サーバ１１に接続中の全ＰＣに送信する機能を持つ。
【００１０】
また、サーバ１１内には、予めセラーから受信した画像を格納する画像記憶部を設け、セラーはＰＣ１３からの映像を送信することができると同時に、サーバ１１内の画像を再生して全ＰＣに送信することが可能である。
バイヤーは、セラーからの映像を見ながら、バイヤーＰＣ１２から購入申し込みができ、申し込み後にサーバ１１に登録された手段（口座引き落とし、クレジット決済、電子マネー）でサーバ１１によって電子決済が行われる。
【００１１】
図２は、図１におけるサーバの機能ブロック構成例を示す図である。
通信制御部２１は、インターネットまたはＩＰネットワーク１４に接続されている。顧客情報部２７は、セラー、バイヤーの登録情報が格納されている。すなわち、氏名、顧客ＩＤ、オークション参加パスワード、住所、決済方法、商品の購買・販売記録などが記憶されている。この登録は、サーバ１１にＰＣを接続して随時実行することができる。認証部２５は、セラーとして販売申し込みを行った時点、あるいは、バイヤーとして商品購入を宣言した時点で、それぞれのＰＣから送られてきた顧客ＩＤとパスワードを顧客情報部に格納されているものと比較して、正当性を確認する。
【００１２】
要求受付部２６は、セラーからのセラーＰＣ１３を通じた販売要求を先着順で受け付けるか、あるいは、あるタイミングで最も早く申し込んだセラーのみを受け付けて、セラーＰＣ１３に対して販売のプレゼンテーションを行うように通知する機能を有する。また、バイヤーからバイヤーＰＣ１２を通じて申し込みを随時先着順で受け付けて、売買管理部２８のテーブルを参照し、商品が残っていれば、購入完了の通知を出す。一方、商品が売り切れた場合には、それ以降の購入申し込み者には、売り切れ通知を出す。
【００１３】
図３は、図２における売買管理部のテーブル構成を示す図である。
図３に示すように、売買管理部のテーブルには、セラー、価格、バイヤ１、バイヤ２、・・・バイヤの総数、商品数が記憶されている。すなわち、このテーブルで、セラーごとの商品数、購入者、購入時点での価格を記憶している。
購入者は、バイヤーＰＣ１２の認証時点で、顧客ＩＤから顧客情報部２７を参照して、購入者名を参照する。購入者名の代わりに顧客ＩＤを直接使用する方法もある。サーバ１１は、先着順で受け付けるバイヤーＰＣ１２からの購入申し込みの上限数を、受け付けたセラーＰＣ１３の商品数により設定または変更する。
【００１４】
図２のサーバ１１の説明に戻って、画像記憶部３０は、セラーがあらかじめセラーＰＣ１３からサーバ１１に送信した動画または静止画を格納するものである。セラーが販売プレゼンテーションを行うときに、この画像記憶部３０に格納してある画像と、セラーＰＣ１３で撮影した画像を合成した画像を全ＰＣに送信するか、あるいは、画像記憶部３０の画像のみを全ＰＣに送信する、という使い方を可能にする。
送受信制御部２９は、セラーＰＣ１３からの映像を全ＰＣに送付するか、あるいは、画像記憶部３０にある画像との合成処理と、送信という機能を実行する。さらに、売買管理部２８のテーブルの情報の一部を販売状況として送信画像に重ね合わせる処理も実行する。
【００１５】
また、決済部２４は、オークション実行中、あるいは、終了時に、バイヤーの購入指示に応じて顧客情報部２７に登録された方法で各バイヤーごとに電子決済を実行する。実行管理部３１は、セラーの販売申し込みの受け付けタイミングの管理、セラーのプレゼンテーション時間の管理、セラーがない場合の当該商品のオークションの終了などのタイミング管理を実行する。さらに、オークションを行う商品ジャンルを管理しており、次にオークションを行う商品ジャンルの全ＰＣへの通知機能も持っている。商品ジャンルは、あらかじめサーバ１１の管理者が実行管理部３１に登録し、その順にオークションが実行される。
【００１６】
図４は、本発明の一実施例を示す売買のタイムチャートである。
ここでは、ジャンルＡの売買のみを示しているが、各種のジャンルについてもこれと同じである。また、扱われる全商品について併行してタイムチャートが走行する。
セラーの受付が開始された後、予定時間後にバイヤーの受付が開始される。受付けられたセラーのプレゼンテーションが行われた後、次のセラーの受付が行われ、受付けられたセラーのプレゼンテーションが行われる。このようにして、順次、各セラーの受付を行った後、そのセラーのプレゼンテーションが実行された後、ジャンルＡの売買が終了する。
【００１７】
図５は、本発明の一実施例を示すサーバでの処理フローチャートである。
このフローチャートでは、商品ジャンルを全ＰＣにサーバ１１から通知した後、販売したいセラーを受け付け、最も早く申し込んだセラーにプレゼンテーションの権利を与える場合を示している。先ず、バイヤー、セラーがそれぞれサーバ１１に接続し（ステップ１０１）、ジャンルＡの売買が開始される（ステップ１０２）。販売したいセラーを受け付け、そのセラーの認証を行う（ステップ１０３）。
【００１８】
最も早く受け付けられたセラーに受付通知を出し（ステップ１０４，１０５）、そのセラーは、販売商品数、価格を提示し（ステップ１０６）、その後、自分のセラーＰＣ１３のカメラ映像やサーバ１１に格納した画像情報を利用して、全ＰＣにプレゼンテーション映像を送信する（ステップ１０７，１０８）。必要に応じて事前に格納された画像を全ＰＣに送信することもできる（ステップ１０９）。あらかじめ定められたプレゼンテーション時間が終了すると（ステップ１１０）、再度、同じ商品ジャンルのセラーの申し込みを受け付ける（ステップ１０３）、という手順が繰り返し実行される（ステップ１０４〜１１０）。
【００１９】
セラーの申し込みがなくなった時点で（ステップ１０４）、その商品ジャンルのオークションが終了し、次の商品ジャンルのオークションが開始されることになる。バイヤーは、オークションが実行されている間の随時のタイミングで、そのジャンルの商品の購入申し込みができる。随時受け付けたバイヤからの注文に応じて電子決済を行い（ステップ１１１）、各セラーに注文情報を送付する（ステップ１１２）。
【００２０】
図６は、セラーから送信される全ＰＣの画面イメージ図である。
図６に示すように、例えば、画像には、各社の価格一覧と残り商品数４２、商品の写真４１（ここでは、Ｂ社のサングラス）、およびセラーの実写映像４０（ここでは、セラー（Ａ社）でモデルにサングラスをかけた全体姿の映像）が表示される。
バイヤーは、オークションが実行されている間の随時のタイミングで、そのジャンルの商品の購入申し込みが可能である。申し込みは、例えば図６に示すような画面の、Ａ社の部分をクリックすると、その時点の価格でＡ社の商品を購入することができる。
【００２１】
図７は、本発明の一実施例を示すサーバをビジネスモデルとして構築した場合の機能図である。
競売業者５３（ビジネスモデル）はサーバをインターネット５５に接続することにより、セラー５１とバイヤー５２の申し込みを受け付け、バイヤー５２の購入が決定したならば、バイヤー５２の支払いは、登録された方法で、例えば金融機関５４を介して電子決済で競売業者５３に支払われ、販売したセラー５１からは購入したバイヤー５２に対して商品配送が行われるとともに、競売業者５３から売り上げ代金のｘｘ％が登録された方法で支払われ、また、予め定めた方法で競売参加費が徴収される。
【００２２】
本発明の作用を説明すると、第１に、複数のバイヤーとセラーが同一ジャンルの商品を双方向のインタラクティブ性（会話型）を持って実行することができることであり、第２に、あるセラーがプレゼンテーションにより価格を提示した後に、別のセラーがより低価格を提示、あるいは機能の利点を強調したような場合に、先のセラーが再度、申し込みを行い、プレゼンテーションで自社製品を強調、あるいはより低価格を提示する、という競爭が実現できることである。
その場合、バイヤーは購入指示を出した時点で購入、決済が行われるため、その後、同一セラーがより安い価格を提示しても、影響が及ばない。その結果、セラーは売れ残り商品のみを安値で販売してしまうということも可能になる。
【００２３】
第３に、セラーとバイヤーとを区別する必要がなく、商品ジャンルをみながら、自由にオークションに参加して、購入、販売を行うことができること、および、第４に、サーバで電子決済を実行するため、例えば、商品が実際にバイヤーに届いた後に、セラーに販売代金を渡すというエスクローサービス（ｅｓｃｒｏｗｓｅｒｖｉｃｅ）も実現可能である。サーバ運営者は、電子決済の後に、売り上げ代金の一定割合をセラーから受け取る、あるいは、オークション出品回数に応じて参加費を徴収し、その代わりに販売代金の代行徴収を行うというビジネスモデルも実現可能となる。
【００２４】
図５のフローをプログラムに変換して、変換後のプログラムをＣＤ−ＲＯＭなどの記録媒体に格納しておけば、サーバの運営を始めようとする者のコンピュータにこの記録媒体を装着して、プログラムをコンピュータにインストールするか、ネットワークを介して他のコンピュータにダウンロードすることにより、プログラムを実行すれば、容易に本発明を実現することができる。
【００２５】
【発明の効果】
以上説明したように、本発明によれば、複数のバイヤーとセラーとが同一ジャンルの商品を双方向のインタラクティブ性を持って実行することができ、かつ一回申し込んだセラーが再度、申し込みを行って、プレゼンテーションを複数回行うことも可能である。その結果、セラーは売れ残り商品を安値で販売してしまうことも可能となる。また、サーバ運営者がビジネスモデルを構築することにより、セラーに販売代金を渡すエスクローサービスを実現することもできる。
【図面の簡単な説明】
【図１】本発明の一実施例を示す逆オークション取引システムの全体構成図である。
【図２】図１におけるサーバの機能ブロック図である。
【図３】図２における売買管理部のテーブル構成図である。
【図４】本発明の一実施例を示す１商品ジャンル図毎の売買タイムチャートである。
【図５】本発明の一実施例を示す逆オークション取引システムのサーバでの処理フローチャートである。
【図６】図１における全ＰＣにおける画面イメージ図である。
【図７】本発明の一実施例を示す逆オークション取引システムの競売業者がビジネスモデルを構築した場合の機能ブロック図である。
【符号の説明】
１１…サーバ、１２…バイヤーＰＣ、１３…セラーＰＣ、
１４…インターネット／ＩＰネットワーク、２１…通信制御部、
２２…送信バッファ、２３…受信バッファ、２４…決済部、
２５…認証部、２６…要求受付部、２７…顧客情報部、
２８…売買管理部、２９…送受信制御部、３０…画像記録部、
３１…実行管理部、４０…セラーの実写映像、４１…商品写真、
４２…価格一覧と残り商品数、５１…セラー、５２…バイヤー、
５３…競売業者、５４…金融機関、５５…インターネット。
【図１】
2004054333.tif 000003
【図２】
2004054333.tif 000004
【図３】
2004054333.tif 000005
【図４】
2004054333.tif 000006
【図５】
2004054333.tif 000007
【図６】
2004054333.tif 000008
【図７】
2004054333.tif 000009